(57)【要約】【課題】本発明は組み立てスタンド型アルバムに関することで、本の形態、また卓上カレンダーの形態で組み立て可能なことを詳細に説明している。【解決手段】このため、第1結合素材を含み、内面と外側で構成された第1カバー;内面と外側で構成された第2カバー; 第2結合素材を含み、第1結合素材と第2結合素材を利用して第1カバーの外側を覆い（ふた）結合したり、第1カバーの内側と覆い（ふた）部と結合したりする覆い（ふた）部分を含む。【選択図】図４
2013203010.tif 000002
【特許請求の範囲】
【請求項１】
第1結合素材を含む内側と外側で構成された第1カバーと 第2結合素材を含む内側と外側で構成された第2カバーを利用して、第1カバーの内側と覆い部の外側と結合したり第1カバーの外側と覆い部の内側と結合たりする両端の連結部を含む組み立てスタンド型アルバム.
【請求項２】
第1結合素材を含む内側と外側で構成された第1カバーと 第2結合素材を含む内側と外側で構成された第2カバーを利用して、第1カバーの内側と覆い部の外側と結合したり第1カバーの外側と覆い部の内側と結合たりする両端の連結部を含み、覆い（ふた）部の内面と結合する第１カバーの外側の位置は覆い（ふた）部の外側面と結合する第1カバーの内面の位置に比べ、第１結合素材を第1カバーの中心方向に位置する構成を特徴とする組み立てスタン型アルバム。
【発明の詳細な説明】
【技術分野】
【０００１】
本発明は組み立てスタンド型アルバムに関するものである。組み立てスタンド型アルバムとは、本のような形態で閲覧・保管することも可能であり、組み立てれば卓上カレンダーのように閲覧・保管することも可能であるアルバムのことである。
【背景技術】
【０００２】
一般的な写真保管方法はアルバムに入れるタイプと額縁に入れるタイプで分かれる。アルバムは大きく2種類あり、台紙に写真を置き、粘着糊がついた透明フィルムで押さえるタイプと、ポリプロピレン素材等のポケットに写真を入れるタイプである。額縁の場合、木材や合成樹脂などで作られた縁と裏板をトンボによって押さえ、間に写真を挟む。若しくは、ガラスやアクリルの板を縁と写真の間に入れることもある。
【０００３】
これらのアルバムは、写真を貼ったり、入れたりするための台紙がページ分積み重なり、さらに、最初と最後にあたるアルバムの両側面には多様な形態および材質で表紙・裏表紙・背表紙がある。
【０００４】
最近では台紙と同等サイズの写真、もしくは写真同士を張り合わせ、圧をかけることによって強固に接着する、接着式圧縮アルバムが広く普及している。このようなタイプのアルバムは家庭で作ることも可能ではあるが、殆どはアルバム製作業者や写真スタジオなどで専門の機械を用いて製作している。
【０００５】
しかしこのような接着式圧縮アルバムは台紙の表面および、写真の裏面に接着剤(ボンド、糊など)を塗布した後写真を貼り合わせ乾燥させるため、液状の接着剤の場合、乾燥過程で写真が変形したり、写真の一部が浮き上がったり、台紙が曲がる問題が発生する恐れがある。
【０００６】
また、一般的なアルバムは、本棚などに閉じた状態で保管することを前提とした形であるため、身近に置いて鑑賞できる機会が少ないという欠点がある。そのため、アルバムを身近に置いて鑑賞できる増やす形態が必要である。
【先行技術文献】
【非特許文献】
【０００７】
【非特許文献１】ローゼスオンラインショップスタンド型フォトブックhttp://cart05.lolipop.jp/LA07688629/?mode=ITEM2&p_id=PR00101818752
【発明の概要】
【発明が解決しようとする課題】
【０００８】
本発明の課題は、アルバムを身近に置いて鑑賞できる機会を増やす形態を提案することである。
【０００９】
本発明の課題は、1つのアルバムを様々な方法で鑑賞できる形態を提案することである。
【００１０】
本発明の課題は、手軽に持ち運びができ、様々な活用方法をもつ形態を提案することである。
【課題を解決するための手段】
【００１１】
このため、本発明の組み立てスタンド型アルバムは、2つのカバーをもつ。第1結合材を含んだ第1カバー。第2結合材を含んだ第2カバー。第1カバーを左に置き広げた状態で、それぞれ上側が内面、下側が外面となる。第2カバーには、第1カバーを覆いながらページを保護するための部分（覆い部分）、また第1と第2を連結させ、安定させるための部分（連結部分）を含む。
【００１２】
このため、第1結合素材を含み、内面と外側で構成された第1カバー;内面と外側で構成された第2カバー; 第2結合素材を含み、第1結合素材と第2結合素材を利用して第1カバーの外側を覆い（ふた）結合したり、第1カバーの内側と覆い（ふた）部と結合したりする覆い（ふた）部分を含む。
【発明の効果】
【００１３】
本発明、組み立てスタンド型アルバムは、身近で鑑賞する機会を増やすことができ、また1つのアルバムを多様な形態で鑑賞することができるという特徴を持つ。さらに、携帯しやすく、多様な活用が可能だという利点も持つ。
【図面の簡単な説明】
【００１４】
【図１】本発明の組み立てスタンド型アルバムのカバーの平面図の一例を示している。
【図２】本発明の組み立てスタンド型アルバムを本のように組み立てた際の一例を示している。
【図３】本発明の組み立てスタンド型アルバムをスタンドのように組み立てた一例を示した図面である。
【図４】本発明の組み立てスタンド型アルバムの他の例を示している。
【発明を実施するための形態】
【００１５】
前述の図面を参照し説明するとより分かりやすいため、以下では図を使用し詳細に説明する。
【００１６】
図1は本発明の組み立てスタンド型アルバムのカバーの一例を平面図で示している。 以下図1を利用して詳細に説明する。
【００１７】
図1によると、組み立てスタンド型アルバムは、第1カバー(100)、第2カバー(200)、それらの連結部(300)および第2カバー(200)から延びた覆い（ふた）部(400)を含む。 もちろん、これらはカバーとなり他の構成を包含できる。一例をあげれば複数の写真を包含できるが、図1では省略している。
【００１８】
第1カバー(100)と第2カバー(200)を連結する連結部(300)は、多様な素材や形状で構成できるが、一般的にスプリング形状で構成されることが望ましい。
【００１９】
第1カバー(100)は一定の厚さと強度を保つことができる紙やその他の材質で構成することが望ましい。 例えば、第1カバー(100)はプラスチックで構成することができる。 第1カバー(100)のサイズは、綴じ込む物のサイズと関連しており、一般的に綴じ込む物のサイズより大きくする。
【００２０】
第2カバー(200)は第1カバー(100)と同じ材質と同じ形状を持つ。 すなわち、第2カバー(200)のサイズは第1カバー(100)のサイズと同じサイズである。
【００２１】
覆い（ふた）部(400)は第2カバー(200)から延びて形成され、多様な材質で構成できる。 つまり、覆い（ふた）部(400)は第1カバー(100)または、第2カバー(200)と同じ材質で構成したり、他の材質で構成したりすることができる。
【００２２】
覆い（ふた）部(400)は第1カバー(100)と結合するための結合素材を含んでいる。 結合素材は磁石やベルクロテープなど多様な材質を利用することができる。
【００２３】
結合素材の詳細を述べると、第1カバー(100)は第1結合素材(700)を含んでいて、覆い（ふた）部(400)の結合部(240)は第2結結合材(710)を含んでいる。 第1結合素材(700)は横長の磁石や、一定の距離を置いた2つの磁石で構成される。 第2結合素材(710)は1つの磁石で構成される。 第2結合素材(710)は、本のような形態で組み立てた際には第1結合素材(700)の連結部（300）に近い位置にある結合素材と連結し、スタンド型に組み立てた際は
【００２４】
図1は第1結合素材(700)と第2結合素材(710）が磁石で構成された例を示しているが、これに限定されるわけではない。例えば第1結合素材(700)と第2結合素材(710)のどちらかが磁石で構成されて、片方は金属性材質で構成してもよい。
【００２５】
また、結合素材にはベルクロテープやその他多様な材質を使うことができる。
【００２６】
図2は本発明の組み立てスタンド型アルバムを組み立てた際の1つの完成図である。
【００２７】
図2によれば、第1カバー(100)の外側と覆い（ふた）部(400)の内側が重なっていることが分かる。 すなわち、第1カバー(100)の外側と覆い（ふた）部(400)の内側が重なった際に本のような形態を持つ。
【００２８】
組み立てスタンド型アルバムを図2の形態で組み立てた場合、組み立てスタンド型アルバムはパンフレットのような形態を持つことになる。鑑賞時は、図1に示している形態と同様に、第1カバー(100)と第2カバー(200)を平面にする。その後、使用者は第1カバー(100)と第2カバー(200)で内包している写真等を鑑賞できる。
【００２９】
図3は本発明の組み立てスタンド型アルバムを組み立てた際の2つ目の事例である。アルバムを卓上用カレンダーのような形態で組み立てた場合を示している。
【００３０】
図3によれば、第1カバー(100)の外側と覆い（ふた）部(400)の内側が重なっていることが分かる。 覆い（ふた）部(400)の一部は組み立てた際、立てるための底辺の機能をなし、残り一部は第1カバー(100)と重なりくっつくための結合機能をなす。 図3に図示されているようにスタンドの形態を持つ。
【００３１】
図4は本発明組み立てスタンド型アルバムの他の事例の平面図を図示している。 以下は、図4を利用して本発明の組み立てスタンド型アルバムの他の事例を詳細に述べる。
【００３２】
図4によれば、覆い（ふた）部(400)は厚みを調節部(220),スタンディング部(230),結合部(240)に分かれている。以下図4を用い覆い（ふた）部(400)を詳細に述べる。
【００３３】
厚み調節部(220)は第1カバー(100)と第2カバー(220)の間に内包される物の厚さにより変わる。 すなわち、第1カバー(100)と第2カバー(220)の間に内包される物の厚さが厚ければ厚み調節部(220)が長くなり、第1カバー(100)と第2カバー(220)の間に内包される物の厚さが薄ければ厚み調節部(220)は短くなる。
【００３４】
スタンディング部(230)は、組み立てスタンド型アルバムを 卓上カレンダーの(図３で説明)の形態で組み立てる場合、スタンディングさせる際の底辺となる。したがってスタンディング部(230)は長いほど安定して立てることが出来る。
【００３５】
厚み調節部(220)の長さによりスタンディング部(230)の長さは変わる。 第2カバー(200)の長さが一定の場合、厚み調節部(220)が長くなると相対的にスタンディング部(230)は短くなり、厚み調節部(220)が短くなれば相対的にスタンディング部(230)は長くなる。
【００３６】
結合部(240)は第1カバー(100)と第2カバー(200)を結合するための結合素材を含んでいる。
【００３７】
本発明を図を用い説明したが、これは一例に過ぎず、知識ある者ならば他にも多様な変形や形態が可能だということが分かるだろう。
【符号の説明】
【００３８】
100:第1カバー200:第2カバー300:連結部400:覆い（ふた）部700:第1結合素材710:第2結合素材17-112010-11-29
【図１】
2013203010.tif 000003
【図２】
2013203010.tif 000004
【図３】
2013203010.tif 000005
【図４】
2013203010.tif 000006